(57)【要約】【課題】  本発明は、映像のみを無線伝送した場合に、音声と映像とのリップシンクを図ってユーザに違和感を感じさせることなくコンテンツを提供できるようにする。【解決手段】  本発明は、コンテンツサーバでは最大伝送遅延分を予め考慮して設定したＰＴＳ及びＤＴＳに従い、伝送遅延時間分以上の初期遅延時間（１秒）だけ遅らせたタイミングでコンテンツの音声を出力し、モニター装置では映像パケットに付されているＳＴＣを伝送遅延時間に応じて時間軸補正した後、当該時間軸補正したＳＣＲ及び初期遅延時間を設定したＰＴＳ及びＤＴＳに基づいて映像を出力することにより、伝送遅延時間分の遅れを取り戻し、かつ音声出力タイミングと同期した映像出力タイミングで映像を表示することができるので、映像のみを無線伝送した場合であっても音声と映像とのリップシンクを図ることができる。【選択図】        図３
2006109000.tif 000002
【特許請求の範囲】
【請求項１】
コンテンツの音声及び映像のうち当該映像だけをコンテンツサーバからモニター装置へ無線伝送して出力する際、上記コンテンツサーバに接続されたスピーカから出力する上記音声と、上記モニター装置から出力する上記映像とを同期させるオーディオビデオ同期システムにおいて、
上記コンテンツサーバは、
上記コンテンツサーバの基準時刻を上記モニター装置へ有線によって送信する基準時刻有線送信手段と、
上記無線伝送による最大伝送遅延分を予め考慮して上記コンテンツの音声パケット及び映像パケットの出力タイミングを予め所定時間だけ遅らせるため初期遅延時間に相当するクロックカウンタ値を加算したタイムスタンプを設定し、当該タイムスタンプの付された映像パケットを上記モニター装置へ無線伝送する映像伝送手段と、
上記コンテンツサーバの基準時刻及び上記タイムスタンプに基づいて上記音声パケットを再生して上記音声を出力する音声出力手段と
を具え、
上記モニター装置は、
上記無線伝送された上記映像パケットを受信する映像受信手段と、
上記コンテンツサーバから有線送信された上記基準時刻を受信し、当該コンテンツサーバの基準時刻と当該モニター装置の基準時刻とを同期させる基準時刻同期手段と、
上記モニター装置の基準時刻と、上記映像パケットに付されている上記コンテンツサーバの基準時刻情報とに基づいて当該無線伝送による伝送遅延時間を算出する伝送遅延算出手段と、
上記伝送遅延時間に応じて上記映像パケットに付されている基準時刻情報を補正することにより伝送遅延時間分の遅れを取り戻す遅延修正手段と、
上記補正した基準時刻情報及び上記初期遅延時間に相当するクロックカウンタ値を加算したタイムスタンプに基づいて上記映像パケットをデコードして上記映像を出力することにより当該映像と上記音声との出力タイミングを同期させる映像出力手段と
を具えることを特徴とするオーディオビデオ同期システム。
【請求項２】
上記コンテンツサーバは、
上記音声及び上記映像に対する所定の符号化手段とは独立した基準時刻を生成する基準時刻生成手段を具え、
上記映像伝送手段は、上記符号化手段により上記音声及び上記映像を符号化する際の基準時刻と、上記基準時刻生成手段により生成する基準時刻との間に発生するずれを修正した修正基準時刻を用いて上記初期遅延時間に相当するクロックカウンタ値を加算したタイムスタンプを設定する
ことを特徴とする請求項１に記載のオーディオビデオ同期システム。
【請求項３】
コンテンツの音声及び映像のうち当該音声についてはコンテンツサーバに接続されたスピーカから出力される一方で、上記コンテンツサーバから無線伝送された当該映像を受信して表示手段に表示するモニター装置であって、
上記コンテンツサーバから有線によって送信される当該コンテンツサーバの基準時刻を受信し、当該コンテンツサーバの基準時刻と当該モニター装置の基準時刻とを同期させる基準時刻同期手段と、
上記無線伝送による最大伝送遅延分を予め考慮して上記音声及び上記映像の出力タイミングを予め所定時間だけ遅らせるため初期遅延時間に相当するクロックカウンタ値が加算されたタイムスタンプの付されている映像パケットを上記コンテンツサーバから受信する映像受信手段と、
当該モニター装置の基準時刻と上記映像パケットに付されている上記コンテンツサーバの基準時刻情報とに基づいて当該無線伝送による伝送遅延時間を算出する伝送遅延算出手段と、
上記伝送遅延時間に応じて上記映像パケットに付されている基準時刻情報を補正することにより伝送遅延時間分の遅れを取り戻す遅延修正手段と、
上記補正した基準時刻情報と上記初期遅延時間に相当するクロックカウンタ値を加算したタイムスタンプとに従って上記映像を出力することにより上記音声と上記映像との出力タイミングを同期させる映像出力手段と
を具えることを特徴とするモニター装置。
【請求項４】
コンテンツの音声及び映像のうち当該音声についてはコンテンツサーバに接続されたスピーカから出力される一方で、上記コンテンツサーバから無線伝送された当該映像を受信して表示手段に表示する際、上記音声及び上記映像の出力タイミングを同期させるオーディオビデオ同期方法であって、
上記コンテンツサーバから有線によって送信される当該コンテンツサーバの基準時刻を受信し、当該コンテンツサーバの基準時刻と当該モニター装置の基準時刻とを同期させる基準時刻同期ステップと、
上記無線伝送による最大伝送遅延分を予め考慮して上記音声及び上記映像の出力タイミングを予め所定時間だけ遅らせるため初期遅延時間に相当するクロックカウンタ値が加算されたタイムスタンプの付されている映像パケットを上記コンテンツサーバから受信する映像受信ステップと、
当該モニター装置の基準時刻と、上記映像パケットに付されている上記コンテンツサーバの基準時刻情報とに基づいて当該無線伝送による伝送遅延時間を算出する伝送遅延算出ステップと、
上記伝送遅延時間に応じて上記映像パケットに付されている基準時刻情報を補正することにより伝送遅延時間分の遅れを取り戻す遅延修正ステップと、
上記補正した基準時刻情報と上記初期遅延時間に相当するクロックカウンタ値を加算したタイムスタンプとに従って上記映像を出力することにより上記音声と上記映像との出力タイミングを同期させる映像出力ステップと
を具えることを特徴とするオーディオビデオ同期方法。
【発明の詳細な説明】
【技術分野】
【０００１】
本発明は、オーディオビデオ同期システム及びモニター装置に関し、例えば車内エンターテインメントシステムに適用して好適なものである。
【背景技術】
【０００２】
従来、図８に示すように車内エンターテインメントシステム１においては、ＴＶ(Television)、ラジオ、ＤＶＤ(Digital Versatile Disc)によるコンテンツや、ハードディスク２に格納されたコンテンツの中から任意のコンテンツをユーザのコントローラ操作に応じて動作するセレクタ３によって選択し、当該選択したコンテンツのコンテンツデータをデコーダ４へ送出する。
【０００３】
デコーダ４は、コンテンツデータをデコードすることにより当該コンテンツの映像及び音声を復元し、当該復元した映像をディスプレイ５に表示させると共に、当該音声をスピーカ６から出力させることにより、映像と音声とが同期した状態で出力し得るようになされている。
【０００４】
ところで映像と音声とを同期した状態で出力するものとして、映画等の映像に伴う音声を無線により離れた場所にあるスピーカ等に送信して出力させる際に、ディスプレイから表示させる映像と、スピーカから出力させる音声とを同期させるようにしたものがある（例えば、特許文献１参照）。
【特許文献１】特開2004-201022公報
【０００５】
一方、近年開発されているミニバン等の車では、前部座席だけではなく後部座席のパッセンジャーへコンテンツを提供するためのワイヤレスリアモニターを車内に設置することが一般的になりつつあり、前部座席側に設置されたコンテンツサーバから後部座席側のワイヤレスリアモニターに対してコンテンツの映像を無線送信して表示するようになされたものがある。
【０００６】
具体的には図９に示すように、ワイヤレスリアモニターを用いた車内エンターテインメントシステム１０では、前部座席側のコンテンツサーバ１１から後部座席側のワイヤレスリアモニター１２へコンテンツのビデオデータだけを無線伝送する。
【０００７】
ワイヤレスリアモニター１２は、前部座席側のコンテンツサーバ１１から受信したコンテンツのビデオデータをデコードして映像を表示したり、電源１３と接続された後部座席側の充電ステーション１４に載置された状態で当該ワイヤレスリアモニター１２の内部バッテリを充電し得るようになされている。勿論、ワイヤレスリアモニター１２は充電ステーション１４に載置された状態でコンテンツの映像を表示することもできる。
【０００８】
実際上、図８との対応部分に同一符号を付して示す図１０のワイヤレスリアモニターを用いた車内エンターテインメントシステム１０では、コンテンツサーバ１１のエンコーダ２１によって圧縮符号化されたコンテンツやハードディスク２から読み出したコンテンツの中から任意のコンテンツをコントローラ操作に応じて動作するセレクタ３によって選択し、当該選択したコンテンツを分配器２２へ送出する。
【０００９】
分配器２２は、コンテンツのコンテンツデータをビデオデータとオーディオデータとに分け、当該オーディオデータをオーディオデコーダ２３へ送出してデコードした後にフロントスピーカ６から当該コンテンツの音声として出力すると共に、ビデオデータをパケット化した後に無線送受信機２４を介してワイヤレスリアモニター１２の無線送受信機２５へ無線伝送する。
【００１０】
ワイヤレスリアモニター１２では、無線送受信機２５で受信したビデオデータをビデオデコーダ２６へ送出し、当該ビデオデコーダ２６でデコードした後に当該コンテンツの映像としてディスプレイ２７に表示する。
【００１１】
ここでコンテンツサーバ１１の無線送受信機２４は、図１１に示すように、ビデオデータをワイヤレスリアモニター１２へ無線伝送する際、ＰＳ(Program Stream)パケットとして送信するようになされており、当該ＰＳパケットはＰＳヘッダー及びＰＥＳ(Packetized Elementary Stream)パケットにより構成されている。
【００１２】
ＰＳヘッダーには、スタートコード、ＳＣＲbase及びＳＣＲextensionが記述されており、ＳＣＲbaseが９０[kHz]精度の上位３３ビットで表現されたＳＣＲ(System Clock Reference)の上位桁値を表し、ＳＣＲextensionが２７[MHz]精度の下位９ビットで表現されたＳＣＲの下位桁値を表している。
【００１３】
因みにＳＣＲは、コンテンツサーバ１１における発信側の時刻情報をワイヤレスリアモニター１２へ伝達するためのタイムスタンプであり、当該ＳＣＲを用いてコンテンツサーバ１１のシステムタイムクロック（以下、これをＳＴＣと呼ぶ）と、ワイヤレスリアモニター１２のＳＴＣとを同期させるようになされている。
【００１４】
また図１２に示すようにＰＥＳパケットは、ISO(International Organization for Standardization)/IEC13813-1で規定されたＰＥＳヘッダー及びアクセスユニット単位のビデオデータにより構成されており、当該ＰＥＳヘッダーにはスタートコード、ストリームＩＤ、パケット長、…、ＰＴＳ(Presentation Time Stamp)及びＤＴＳ(Decoding Time Stamp)、…が記述されている。
【００１５】
ＰＴＳは、９０[kHz]クロックで計測したクロックカウンタ値で、ビデオデータのアクセスユニット出力時刻を表し、ＤＴＳは、ＰＴＳと同様の９０[kHz]クロックで計測したクロックカウンタ値で、復号タイミングを示すデコード時刻を表している。
【００１６】
従ってワイヤレスリアモニター１２のビデオデコーダ２６では、コンテンツサーバ１１から受信したＰＳパケットのＳＣＲに基づいてＳＴＣを再生し、当該ＳＴＣの時刻がＰＴＳ及びＤＴＳの値になった時点でビデオデータを復号し、ディスプレイ２７へ出力するようになされている。
【発明の開示】
【発明が解決しようとする課題】
【００１７】
ところでかかる構成の車内エンターテインメントシステム１０においては、コンテンツサーバ１１からＰＳパケット化されたビデオデータをワイヤレスリアモニター１２へ無線伝送しているため、伝送エラーに伴う再送制御等の種々の要因により伝送遅延が生じてしまう。
【００１８】
具体的には図１３に示すように、ワイヤレスリアモニター１２のビデオデコーダ２６は、コンテンツサーバ１１から１アクセスユニット単位で受け取った１フレーム（29.97[Hz]）分のＰＳパケットに含まれるＳＣＲと、ＰＥＳパケットのＰＴＳ及びＤＴＳとに基づいてビデオデータをデコードし、ディスプレイ２７へ出力するようになされている。
【００１９】
因みにＰＴＳ及びＤＴＳは、９０[kHz]のクロックカウンタ値であり、ＳＣＲは２７[MHz]のクロックカウンタ値であるが、当該ＳＣＲのクロックカウンタ値としては１／３００で分周されたクロックカウンタ値を用いて表されており、「３００３」クロックカウンタ値毎に１フレームのビデオデータを送信する。
【００２０】
ここでワイヤレスリアモニター１２は、コンテンツサーバ１１から受信したＳＣＲと、ＰＴＳ及びＤＴＳとに基づいてビデオデータをデコードしディスプレイ２７へ出力するが、当該無線伝送時の伝送エラーに伴う再送制御等によってコンテンツサーバ１１とワイヤレスリアモニター１２との間に例えば０．５秒間の伝送遅延が生じた場合、コンテンツサーバ１１とワイヤレスリアモニター１２との間ではＳＣＲの時刻情報に０．５秒間のずれが生じ、コンテンツサーバ１１によりフロントスピーカ６から出力される音声と、当該ワイヤレスリアモニター１２のディスプレイ２７に表示される映像とのリップシンクが取れなくなってしまう。
【００２１】
このように車内エンターテインメントシステム１０においては、コンテンツサーバ１１によりフロントスピーカ６から出力される音声に対して、当該ワイヤレスリアモニター１２のディスプレイ２７に表示される映像が０．５秒間も遅れて表示された場合、リップシンクが取れずに当該コンテンツを視聴しているユーザに違和感を感じさせてしまうという問題があった。
【００２２】
本発明は以上の点を考慮してなされたもので、映像のみを無線伝送した場合に、音声と映像とのリップシンクを図ってユーザに違和感をなくコンテンツを提供し得るオーディオビデオ同期システム及びモニター装置を提案しようとするものである。
【課題を解決するための手段】
【００２３】
かかる課題を解決するため本発明においては、コンテンツの音声及び映像のうち当該映像だけをコンテンツサーバからモニター装置へ無線伝送して出力する際、コンテンツサーバに接続されたスピーカから出力する音声と、モニター装置から出力する映像とを同期させるオーディオビデオ同期システムにおいて、コンテンツサーバは、コンテンツサーバの基準時刻をモニター装置へ有線によって送信する基準時刻有線送信手段と、無線伝送による最大伝送遅延分を予め考慮してコンテンツの音声パケット及び映像パケットの出力タイミングを予め所定時間だけ遅らせるため初期遅延時間に相当するクロックカウンタ値を加算したタイムスタンプを設定し、当該初期遅延付加タイムスタンプの付された映像パケットをモニター装置へ無線伝送する映像伝送手段と、コンテンツサーバの基準時刻及び初期遅延付加タイムスタンプに基づいて音声パケットを再生して上記音声を出力する音声出力手段とを具え、モニター装置は、無線伝送された映像パケットを受信する映像受信手段と、コンテンツサーバから有線送信された基準時刻を受信し、当該コンテンツサーバの基準時刻と当該モニター装置の基準時刻とを同期させる基準時刻同期手段と、モニター装置の基準時刻と、映像パケットに付されているコンテンツサーバの基準時刻情報とに基づいて当該無線伝送による伝送遅延時間を算出する伝送遅延算出手段と、伝送遅延時間に応じて映像パケットに付されている基準時刻情報を補正することにより伝送遅延時間分の遅れを取り戻す遅延修正手段と、補正した基準時刻情報と初期遅延時間に相当するクロックカウンタ値を加算したタイムスタンプとに従って映像パケットをデコードして映像を出力することにより当該映像と音声との出力タイミングを同期させる映像出力手段とを設けるようにする。
【００２４】
コンテンツサーバでは、最大伝送遅延分を予め考慮して初期遅延時間に相当するクロックカウンタ値を加算したタイムスタンプに従い、伝送遅延時間分以上の所定時間だけ遅らせたタイミングでコンテンツの音声を出力し、モニター装置ではコンテンツサーバから受信した映像パケットに付されている基準時刻情報を伝送遅延時間に応じて補正した後、当該補正した基準時刻情報及び初期遅延時間に相当するクロックカウンタ値を加算したタイムスタンプに基づいて映像を出力することにより、伝送遅延時間分の遅れを取り戻し、かつ音声出力タイミングと同期した映像出力タイミングで映像を表示することができるので、映像のみを無線伝送した場合であっても音声と映像とのリップシンクを図ってユーザに違和感なくコンテンツを提供することができる。
【００２５】
また本発明においては、コンテンツの音声及び映像のうち当該音声についてはコンテンツサーバに接続されたスピーカから出力される一方で、コンテンツサーバから無線伝送された当該映像を受信して表示手段に表示するモニター装置であって、コンテンツサーバから有線によって送信される当該コンテンツサーバの基準時刻を受信し、当該コンテンツサーバの基準時刻と当該モニター装置の基準時刻とを同期させる基準時刻同期手段と、無線伝送による最大伝送遅延分を予め考慮して音声及び映像の出力タイミングを予め所定時間だけ遅らせるため初期遅延時間に相当するクロックカウンタ値が加算されたタイムスタンプの付されている映像パケットをコンテンツサーバから受信する映像受信手段と、当該モニター装置の基準時刻と映像パケットに付されているコンテンツサーバの基準時刻情報とに基づいて当該無線伝送による伝送遅延時間を算出する伝送遅延算出手段と、伝送遅延時間に応じて映像パケットに付されている基準時刻情報を補正することにより伝送遅延時間分の遅れを取り戻す遅延修正手段と、補正した基準時刻情報と初期遅延時間に相当するクロックカウンタ値を加算したタイムスタンプとに従って映像を出力することにより音声と映像との出力タイミングを同期させる映像出力手段とを設けるようにする。
【００２６】
無線伝送による最大伝送遅延分を予め考慮して音声及び映像の出力タイミングを予め所定時間だけ遅らせるため初期遅延時間に相当するクロックカウンタ値が加算されたタイムスタンプの付されている映像パケットを受信し、当該映像パケットの伝送遅延時間に応じて映像パケットに付されている基準時刻情報を補正することにより伝送遅延時間分の遅れを取り戻し、当該補正した基準時刻情報と初期遅延時間に相当するクロックカウンタ値を加算したタイムスタンプとに従って映像を出力することにより音声と映像との出力タイミングを同期させることができるので、伝送遅延を有する状態で映像のみを受信した場合であってもコンテンツサーバのスピーカから出力する音声と、モニター装置により表示手段に表示する映像とのリップシンクを図ってユーザに違和感なくコンテンツを提供することができる。
【００２７】
さらに本発明においては、コンテンツの音声及び映像のうち当該音声についてはコンテンツサーバに接続されたスピーカから出力される一方で、コンテンツサーバから無線伝送された当該映像を受信して表示手段に表示する際、音声及び映像の出力タイミングを同期させるオーディオビデオ同期方法であって、コンテンツサーバから有線によって送信される当該コンテンツサーバの基準時刻を受信し、当該コンテンツサーバの基準時刻と当該モニター装置の基準時刻とを同期させる基準時刻同期ステップと、無線伝送による最大伝送遅延分を予め考慮して音声及び映像の出力タイミングを予め所定時間だけ遅らせるため初期遅延時間に相当するクロックカウンタ値が加算されたタイムスタンプの付されている映像パケットをコンテンツサーバから受信する映像受信ステップと、当該モニター装置の基準時刻と、映像パケットに付されているコンテンツサーバの基準時刻情報とに基づいて当該無線伝送による伝送遅延時間を算出する伝送遅延算出ステップと、伝送遅延時間に応じて映像パケットに付されている基準時刻情報を補正することにより伝送遅延時間分の遅れを取り戻す遅延修正ステップと、補正した基準時刻情報と初期遅延時間に相当するクロックカウンタ値を加算したタイムスタンプとに従って映像を出力することにより音声と映像との出力タイミングを同期させる映像出力ステップとを設けるようにする。
【００２８】
無線伝送による最大伝送遅延分を予め考慮して音声及び映像の出力タイミングを予め所定時間だけ遅らせるため初期遅延時間に相当するクロックカウンタ値が加算されたタイムスタンプの付されている映像パケットを受信し、当該映像パケットの伝送遅延時間に応じて映像パケットに付されている基準時刻情報を補正することにより伝送遅延時間分の遅れを取り戻し、当該補正した基準時刻情報と初期遅延時間に相当するクロックカウンタ値を加算したタイムスタンプとに従って映像を出力することにより音声と映像との出力タイミングを同期させることができるので、伝送遅延を有する状態で映像のみを受信した場合であってもコンテンツサーバのスピーカから出力する音声と、モニター装置により表示手段に表示する映像とのリップシンクを図ってユーザに違和感なくコンテンツを提供することができる。
【発明の効果】
【００２９】
本発明によれば、コンテンツサーバでは、最大伝送遅延分を予め考慮して初期遅延時間に相当するクロックカウンタ値を加算したタイムスタンプに従い、伝送遅延時間分以上の所定時間だけ遅らせたタイミングでコンテンツの音声を出力し、モニター装置では映像パケットに付されている基準時刻情報を伝送遅延時間に応じて補正した後、当該補正した基準時刻情報及び初期遅延時間に相当するクロックカウンタ値を加算したタイムスタンプに基づいて映像を出力することにより、伝送遅延時間分の遅れを取り戻し、かつ音声出力タイミングと同期した映像出力タイミングで映像を表示することができるので、映像のみを無線伝送した場合であっても音声と映像とのリップシンクを図ってユーザに違和感なくコンテンツを提供し得るオーディオビデオ同期システムを実現できる。
【００３０】
また本発明によれば、無線伝送による最大伝送遅延分を予め考慮して音声及び映像の出力タイミングを予め所定時間だけ遅らせた初期遅延付加タイムスタンプの付されている映像パケットを受信し、当該映像パケットの伝送遅延時間に応じて映像パケットに付されている基準時刻情報を補正することにより伝送遅延時間分の遅れを取り戻し、当該補正した基準時刻情報と初期遅延付加タイムスタンプとに従って映像を出力することにより音声と映像との出力タイミングを同期させることができるので、伝送遅延を有する状態で映像のみを受信した場合であってもコンテンツサーバのスピーカから出力する音声と、モニター装置により表示手段に表示する映像とのリップシンクを図ってユーザに違和感を感じさせることなくコンテンツを提供し得るオーディオビデオ同期装置及びオーディオビデオ同期方法を実現できる。
【発明を実施するための最良の形態】
【００３１】
以下、図面について、本発明の一実施の形態を詳述する。
【００３２】
（１）第１の実施の形態
（１−１）車内エンターテインメントシステムの全体構成
図９との対応部分に同一符号を付して示す図１において、５０は全体として第１の実施の形態における車内エンターテインメントシステムを示し、コンテンツサーバ５１とワイヤレスリアモニター５２とが無線接続された構成を有する。
【００３３】
従って車内エンターテインメントシステム５０では、コンテンツサーバ５１によりオーディオデータをデコードしてフロントスピーカ（図示せず）から出力すると共に、ワイヤレスリアモニター５２によりコンテンツサーバ５１から受信したビデオデータをデコードして出力することにより、コンテンツの映像についてはワイヤレスリアモニター５２を介して後部座席のパッセンジャーへ提供すると共に、当該コンテンツの音声については前席座席側のフロントスピーカから後部座席のパッセンジャーに聴取させるようになされている。
【００３４】
また車内エンターテインメントシステム５０では、コンテンツサーバ５１と充電ステーション１４とが有線接続されており、当該コンテンツサーバ５１のＳＣＲを充電ステーション１４を介してワイヤレスリアモニター５２へ有線により送信するようになされている。
【００３５】
これによりワイヤレスリアモニター５２は、充電ステーション１４に載置されている状態でコンテンツサーバ５１から有線送信されるＳＣＲと、当該ワイヤレスリアモニター５２が生成するＳＣＲとを同期させ得るようになされている。
【００３６】
なお車内エンターテインメントシステム５０では、充電ステーション１４にワイヤレスリアモニター５２が載置された状態で電源１３から電力の供給を受けることにより当該ワイヤレスリアモニター５２の内部バッテリを充電し得ると共に、充電ステーション１４にワイヤレスリアモニター５２が載置された状態でコンテンツの映像を表示し得るようにもなされている。
【００３７】
（１−２）車内エンターテインメントシステムの回路構成
図２に示すようにコンテンツサーバ５１のエンコーダ５５は、ＳＴＣ回路５４から供給されるＳＴＣに従ってコンテンツを所定の圧縮符号化方式（例えばＭＰＥＧ(Moving Picture Experts Group)２方式）で圧縮符号化し、当該圧縮符号化したコンテンツデータを遅延付加回路５６へ送出すると共に、コンテンツを圧縮符号化したときのＳＣＲを同期カウンタ６２へ送出する。
【００３８】
同期カウンタ６２は、ＳＴＣ回路５４からエンコーダ５５を介して供給されたＳＣＲを保持し、有線により充電ステーション１４へ送信する。
【００３９】
遅延付加回路５６は、圧縮符号化されたコンテンツデータを図１１及び図１２に示したようなデータ構造に従ってＰＳパケット化する際、無線による伝送遅延（例えば０．５秒や０．７秒）を予め考慮した所定の初期遅延時間分（例えば１秒間）だけ予め遅延させるべく、９０[kHz]でなるＰＴＳ及びＤＴＳの値に対して、１秒間（９０[kHz]）に相当するクロックカウンタ値「９００００」を加算することにより、アクセスユニット出力時刻及びデコード時刻を本来のタイミングよりも初期遅延時間分だけ遅延させ、その結果得られるＰＳパケットを分配器５７へ送出する。
【００４０】
分配器５７は、遅延付加回路５６から供給されたコンテンツデータのＰＳパケットうち、ビデオデータのＰＳパケットを無線送受信機５８へ送出すると共に、オーディオデータのＰＳパケットをオーディオデコーダ６０へ送出する。無線送受信機５８は、ビデオデータのＰＳパケットを例えばIEEE(Institute of Electrical and Electronics  Engineers)802.11g等の無線ＬＡＮ(Local Area Network)プロトコルに従ってワイヤレスリアモニター５２へ無線伝送する。
【００４１】
オーディオデコーダ６０は、オーディオデータのＰＳパケットに付されているＳＣＲの値が、初期遅延時間分の１秒間に相当するクロックカウンタ値「９００００」が付加されたＰＴＳの値になった時点でオーディオデータのＰＳパケットを再生してフロントスピーカ６１から当該コンテンツの音声として出力する。
【００４２】
従ってコンテンツサーバ５１では、本来のＰＴＳで指定された時刻よりも１秒遅延したタイミングでフロントスピーカ６１からコンテンツの音声を出力することになる。
【００４３】
一方、ワイヤレスリアモニター５２は、充電ステーション１４に載置された状態で、当該充電ステーション１４を介してコンテンツサーバ５１から順次有線送信されてくるＳＣＲを同期カウンタ６９に取り込みＰＬＬ(Phase Locked Loop)をロックさせることにより、コンテンツサーバ５１のＳＣＲと完全に同期させたワイヤレスリアモニター５２のＳＣＲを当該同期カウンタ６９から遅延修正回路６６へ送出するようになされている。
【００４４】
またワイヤレスリアモニター５２は、コンテンツサーバ５１から無線伝送されたビデオデータのＰＳパケットを無線送受信機６５で受信し、これを遅延修正回路６６へ送出する。
【００４５】
遅延修正回路６６は、同期カウンタ６９から供給されるコンテンツサーバ５１のＳＣＲと完全に同期したワイヤレスリアモニター５２のＳＣＲの値と、コンテンツサーバ５１から無線伝送されたＰＳパケットに付されているＳＣＲの値とに基づいて当該ＰＳパケットにおける伝送遅延時間を算出し、その伝送遅延時間に応じた所定の修正処理（後述する）をＰＳパケットに付されているＳＣＲに対して施す。
【００４６】
そして遅延修正回路６６は、当該修正処理を施した修正ＳＣＲに従ってビデオデコーダ６７によるデコード処理を行ってディスプレイ６８にコンテンツの映像を表示することにより、コンテンツサーバ５１のフロントスピーカ６１から出力される音声とディスプレイ６８に表示させる映像とを同期させてリップシンクを図るようになされている。
【００４７】
（１−３）リップシンク調整原理
例えば、図３（Ａ）に示すように車内エンターテインメントシステム５０では、コンテンツサーバ５１によるオーディオデータの再生タイミング（☆印で示された）と、無線伝送路を介してワイヤレスリアモニター５２で最初に受信したＰＳパケットのビデオデータの再生タイミング（☆印で示された）とでは伝送遅延時間が例えば０．５秒生じているため、ワイヤレスリアモニター５２がＰＴＳ及びＤＴＳに従って出力したとしても音声に対して映像が０．５秒遅れた状態（音声と映像のズレ）で表示されることになる。
【００４８】
また車内エンターテインメントシステム５０では、コンテンツサーバ５１における音声の再生タイミング（☆印で示された）と、ワイヤレスリアモニター５２で次に受信したＰＳパケットのビデオデータの再生タイミング（☆印で示された）とでは伝送遅延時間が例えば０．７秒生じているため、ワイヤレスリアモニター５２がＰＴＳ及びＤＴＳに従って出力したとしても音声に対して映像が０．７秒遅れた状態（音声と映像のズレ）で表示されることになる。
【００４９】
このような音声に対する映像の遅れは、当該コンテンツを視聴しているユーザにとっては大きな違和感となり、かつ非常に不愉快なものである。
【００５０】
従って図３（Ｂ）に示すように車内エンターテインメントシステム５０では、伝送遅延時間（０．５秒間又は０．７秒間）よりも大きな初期遅延時間（例えば１秒間）をＰＴＳ及びＤＴＳに設定して再生タイミングを予め遅延させたうえで、ワイヤレスリアモニター５２に無線伝送されて到達したＰＳパケットにおけるＳＣＲの値に伝送遅延時間（０．５秒間又は０．７秒間）分に相当するクロックカウンタ値を加算して伝送遅延時間（０．５秒間又は０．７秒間）分の遅れを取り戻す。
【００５１】
これによりワイヤレスリアモニター５２は、コンテンツサーバ５１からビデオデータのＰＳパケットを受信した時点から、初期遅延時間（１秒間）と伝送遅延時間（０．５秒間又は０．７秒間）との差分を表した算出遅延時間（０．５秒間又は０．３秒間）だけ待って映像を表示させ得るようになされている。
【００５２】
すなわちワイヤレスリアモニター５２は、初期遅延時間を設定しなかったＰＴＳ及びＤＴＳの再生タイミングに対して、伝送遅延時間（０．５秒間又は０．７秒間）と算出遅延時間（０．５秒間又は０．３秒間）とを加算した合計１秒後に映像をディスプレイ６８に表示させることができる。
【００５３】
このときコンテンツサーバ５１についても、初期遅延時間だけ予め遅延させた１秒後の再生タイミングでフロントスピーカ６１からコンテンツの音声を出力しているため、車内エンターテインメントシステム５０では当該音声及び映像の出力タイミングをともに１秒後で同期させ、リップシンクを保障し得るようになされている。
【００５４】
（１−４）リップシンク調整方法
次に、車内エンターテインメントシステム５０における実際のリップシンク調整方法について説明する。
【００５５】
図４（Ａ）及び（Ｂ）に示すようにコンテンツサーバ５１では、初期遅延時間を設定していないＰＴＳ及びＤＴＳの値（「５０」、「７０」、「９０」、…、）に対して、伝送遅延時間（０．５秒間又は０．７秒間）分を予め考慮した初期遅延時間（例えば１秒間）に相当するクロックカウンタ値「９００００」を加算してＰＴＳ及びＤＴＳを再設定する。
【００５６】
従ってコンテンツサーバ５１では、オーディオデータのＰＳパケットについては初期遅延時間を設定しなかったＰＴＳ及びＤＴＳの再生タイミングに対して、当該初期遅延時間分だけ予め遅延させた１秒後の再生タイミングでフロントスピーカ６１から当該コンテンツの音声を出力することになる。
【００５７】
一方、図４（Ｃ）に示すようにワイヤレスリアモニター５２では、コンテンツサーバ５１からビデオデータのＰＳパケットが例えば０．５秒又は０．７秒後に伝送遅延した状態で到達するため、予め初期遅延時間（１秒間）を設定したＰＴＳ及びＤＴＳ（図４（Ｂ））に従ってビデオデータをデコードして出力すると、伝送遅延分を合わせて１．５秒又は１．７秒後に映像が表示されることになり、１秒後に出力される音声よりも伝送遅延時間（０．５秒間又は０．７秒間）分だけ映像が遅れて表示されてしまう。
【００５８】
その分を修正するためにワイヤレスリアモニター５２では、ビデオデータのＰＳパケットに付されているＳＣＲの値に対して、伝送遅延時間（０．５秒間又は０．７秒間）分に相当するクロックカウンタ値を加算することにより、当該ＳＣＲの時間軸を補正し、ビデオデータのＰＳパケットが伝送遅延した状態で到達したときの伝送遅延分の時間を取り戻すようになされている。
【００５９】
この場合、伝送遅延時間が０．５秒であればクロックカウンタ値の「４５０００」に相当するため、ワイヤレスリアモニター５２は、ＳＣＲの値に対してクロックカウンタ値の「４５０００」を加算することにより当該ＳＣＲを時間軸補正し、当該時間軸補正後のＳＣＲと、初期遅延時間を設定したＰＴＳ及びＤＴＳとに基づいてビデオデータをデコードして出力する。
【００６０】
因みにワイヤレスリアモニター５２は、伝送遅延時間が０．７秒であれば、ＳＣＲの値に対してクロックカウンタ値の「６３０００」を加算することにより当該ＳＣＲの時間軸を補正し、当該時間軸補正後のＳＣＲと、初期遅延時間を設定したＰＴＳ及びＤＴＳとに基づいてビデオデータをデコードして出力する。
【００６１】
このようにワイヤレスリアモニター５２は、ＳＣＲの時間軸を補正したことにより、ビデオデコーダ６７でのデコード待ち時間を短縮し、初期遅延時間（１秒間）から伝送遅延時間（０．５秒間又は０．７秒間）を減算した算出遅延時間（０．５秒間又は０．３秒間）だけ待った後にビデオデータをデコードしてディスプレイ６８に映像を表示することができる。
【００６２】
すなわちワイヤレスリアモニター５２は、伝送遅延時間と算出遅延時間との合計が初期遅延時間の１秒間に相当することになり、通常時の出力タイミングの１秒後から映像を出力させ得るようになされている。
【００６３】
（１−５）動作及び効果
以上の構成において、車内エンターテインメントシステム５０のコンテンツサーバ５１は、当該コンテンツサーバ５１からワイヤレスリアモニター５２までの無線伝送に伴う伝送遅延時間を予め考慮し、当該伝送遅延時間（０．５秒間又は０．７秒間）よりも大きな初期遅延時間（例えば１秒間）に相当するクロックカウンタ値をＰＴＳ及びＤＴＳに加算して再生タイミングを予め１秒間遅延させる。
【００６４】
そして車内エンターテインメントシステム５０のワイヤレスリアモニター５２では、コンテンツサーバ５１から到達したＰＳパケットのＳＣＲの値に対して伝送遅延時間分に相当するクロックカウンタ値を加算することにより、当該ＳＣＲの時間軸を進める方向に補正し、ビデオデータの伝送遅延時間（０．５秒間又は０．７秒間）分の遅れを取り戻す。
【００６５】
これによりワイヤレスリアモニター５２は、時間軸補正後のＳＣＲと、初期遅延時間分だけ再生タイミングを遅延させたＰＴＳ及びＤＴＳとに基づいてビデオデータのＰＳパケットをデコードしてディスプレイ６８に表示することにより、初期遅延時間に相当する１秒後に映像を表示させることができる。
【００６６】
これにより車内エンターテインメントシステム５０では、コンテンツサーバ５１により初期遅延時間を設定しなかったＰＴＳ及びＤＴＳの再生タイミングよりも１秒後のタイミングでフロントスピーカ６１から出力する音声と、ワイヤレスリアモニター５２のディスプレイ６８に表示する映像とを完全に同期させてリップシンクを保障することができる。
【００６７】
また車内エンターテインメントシステム５０は、コンテンツサーバ５１の遅延付加回路５６により予めＰＴＳ及びＤＴＳを初期遅延時間分だけ遅延させると共に、ワイヤレスリアモニター５２におけるビデオデコーダ６７の前段に設けられた遅延修正回路６６によってビデオデータの伝送遅延時間分の遅れを予め取り戻すようにしたことにより、ビデオデコーダ６７自体に複雑で特別な処理を行わせる必要はなく、コンテンツサーバ５１の遅延付加回路５６と、ワイヤレスリアモニター５２の遅延修正回路６６を新たに設けるだけの簡単な構成で無線伝送に伴う音声と映像とのずれを修正してリップシンクを保障することができる。
【００６８】
以上の構成によれば、車内エンターテインメントシステム５０はコンテンツサーバ５１のフロントスピーカ６１から音声を出力すると共に、当該コンテンツサーバ５１からワイヤレスリアモニター５２へビデオデータのＰＳパケットを無線伝送して映像表示する場合であっても、当該伝送遅延による影響を補正して音声と映像との同期を図り、確実にリップシンクを保障することができる。
【００６９】
（２）第２の実施の形態
（２−１）車内エンターテインメントシステムの全体構成
図１との対応部分に同一符号を付して示す図５において、１００は全体として第２の実施の形態における車内エンターテインメントシステムを示し、第１の実施の形態における車内エンターテインメントシステム５０と同様、コンテンツサーバ１０１とワイヤレスリアモニター５２とが無線接続された構成を有し、そのうえコンテンツサーバ１０１とハードディスクドライブ１０３とが接続されている。
【００７０】
従って車内エンターテインメントシステム１００では、コンテンツサーバ１０１によりオーディオデータをデコードしてフロントスピーカ（図示せず）から出力すると共に、ワイヤレスリアモニター５２によりコンテンツサーバ１０１から無線伝送されて受信したビデオデータをデコードして出力することにより、コンテンツの映像についてはワイヤレスリアモニター５２を介して後部座席のパッセンジャーへ提供すると共に、当該コンテンツの音声については前席座席側のフロントスピーカから後部座席のパッセンジャーに聴取させるようになされている。
【００７１】
また車内エンターテインメントシステム１００においても、コンテンツサーバ１０１と充電ステーション１４とが有線接続されており、当該コンテンツサーバ１０１のＳＣＲを充電ステーション１４を介してワイヤレスリアモニター５２へ有線により送信するようになされている。
【００７２】
これによりワイヤレスリアモニター５２は、充電ステーション１４に載置されている状態でコンテンツサーバ１０１から有線送信されるＳＣＲと、当該ワイヤレスリアモニター５２が生成するＳＣＲとを同期させ得るようになされている。
【００７３】
なお車内エンターテインメントシステム１００では、充電ステーション１４にワイヤレスリアモニター５２が載置された状態で電源１３から電力の供給を受けることにより当該ワイヤレスリアモニター５２の内部バッテリを充電し得ると共に、充電ステーション１４にワイヤレスリアモニター５２が載置された状態でコンテンツの映像を表示し得るようにもなされている。
【００７４】
（２−２）車内エンターテインメントシステムの回路構成
図２との対応部分に同一符号を付した図６に示すようにコンテンツサーバ１０１は、コンテンツサーバ５１（図２）のようにＳＴＣ回路５４からエンコーダ５５及び同期カウンタ６２を介してＳＣＲがワイヤレスリアモニター５２へ有線送信されるのとは異なり、別途独立して設けられたＳＴＣ回路１０２から同期カウンタ１０５を介してＳＣＲをワイヤレスリアモニター５２へ有線送信するようになされている。
【００７５】
コンテンツサーバ１０１のエンコーダ５５は、ＳＴＣ回路５４から供給されるＳＴＣに基づいてコンテンツを所定の圧縮符号化方式（例えばＭＰＥＧ２方式）で圧縮符号化し、当該圧縮符号化したコンテンツデータをセレクタ１０４へ送出する。またコンテンツサーバ１０１はハードディスクドライブ１０３から読み出したコンテンツをセレクタ１０４へ送出する。
【００７６】
セレクタ１０４は、ユーザのコントローラ操作に応じてエンコーダ５５からのコンテンツか、又はハードディスクドライブ１０３から読み出したコンテンツのいずれかを選択し、当該選択したコンテンツを遅延付加回路５６へ送出する。
【００７７】
遅延付加回路５６では、図１１及び図１２に示したようなデータ構造に従ってコンテンツデータをＰＳパケット化する際、無線による伝送遅延を予め考慮した所定の初期遅延時間分（１秒間）だけ予め遅延させるべく、９０[kHz]でなるＰＴＳ及びＤＴＳの値に対して、１秒間に相当するクロックカウンタ値「９００００」を加算することにより、アクセスユニット出力時刻及びデコード時刻を本来のタイミングよりも初期遅延時間分だけ遅延させ、その結果得られるＰＳパケットを分配器５７へ送出する。
【００７８】
ところで遅延付加回路５６では、エンコーダ５５でコンテンツデータを圧縮符号化したときのＳＴＣ回路５４から供給されるＳＣＲと、ＳＴＣ回路１０２から同期カウンタ１０５を介して供給されるＳＴＣとが必ずしも同期しているとは限らないことから、非同期である場合にはその差分を修正した上で、ＰＴＳ及びＤＴＳの値に対して初期遅延時間分の１秒間に相当するクロックカウンタ値「９００００」を加算するようになされている。
【００７９】
すなわち遅延付加回路５６では、エンコーダ５５で圧縮符号化されたコンテンツがセレクタ１０４で選択された場合であって、エンコーダ５５によって圧縮符号化したときのＳＴＣに基づくＳＣＲと、ＳＴＣ回路１０２から同期カウンタ１０５を介して供給されるＳＴＣとが非同期であるときにはその差分を予め修正し、ハードディスクドライブ１０３から読み出したコンテンツがセレクタ１０４で選択された場合には、同期カウンタ１０５を介して供給されるＳＣＲをそのまま用いることにより、エンコーダ５５又はハードディスクドライブ１０３からの何れのコンテンツにも対応し得るようになされている。
【００８０】
分配器５７は、セレクタ１０４から供給されたコンテンツデータのうちビデオデータのＰＳパケットを無線送受信機５８へ送出すると共に、オーディオデータのＰＳパケットをオーディオデコーダ６０へ送出する。無線送受信機５８は、ビデオデータのＰＳパケットを例えばIEEE802.11g等の無線ＬＡＮプロトコルに従ってワイヤレスリアモニター５２へ送信する。
【００８１】
オーディオデコーダ６０は、初期遅延時間の１秒間に相当するクロックカウンタ値「９００００」が加算されたＰＴＳ及びＳＣＲに基づいてオーディオデータのＰＳパケットを再生してフロントスピーカ６１から当該コンテンツの音声として出力する。
【００８２】
従ってコンテンツサーバ１０１は、コンテンツの音声を本来のＰＴＳで指定されたタイミングよりも１秒間遅延したタイミングでフロントスピーカ６１から出力することになる。
【００８３】
一方、ワイヤレスリアモニター５２は、充電ステーション１４に載置された状態で、当該充電ステーション１４を介してコンテンツサーバ１０１から順次有線送信されてくるＳＣＲを同期カウンタ６９に取り込みＰＬＬをロックさせることにより、コンテンツサーバ１０１のＳＣＲと完全に同期させたＳＣＲを当該同期カウンタ６９から遅延修正回路６６へ送出するようになされている。
【００８４】
またワイヤレスリアモニター５２は、コンテンツサーバ５１から無線伝送されたビデオデータのＰＳパケットを無線送受信機６５で受信し、これを遅延修正回路６６へ送出する。
【００８５】
遅延修正回路６６は、コンテンツサーバ１０１のＳＣＲと完全に同期し、同期カウンタ６９から供給されるＳＣＲの値と、コンテンツサーバ１０１から無線伝送されたＰＳパケットに付されているＳＣＲの値とに基づいて当該ＰＳパケットにおける伝送遅延時間を算出し、その伝送遅延時間に応じた所定の修正処理（後述する）を当該ＰＳパケットに付されているＳＣＲに対して施す。
【００８６】
そして遅延修正回路６６は、当該修正処理を施した修正ＳＣＲに従いビデオデコーダ６７によるデコード処理を行ってディスプレイ６８にコンテンツの映像を表示することにより、コンテンツサーバ１０１のフロントスピーカ６１から出力される音声とディスプレイ６８に表示させる映像とを同期させてリップシンクを図るようになされている。
【００８７】
ところで第２の実施の形態においても、リップシンク調整原理については第１の実施の形態と同様であるため、その説明については省略し、セレクタ１０４でエンコーダ５５からのコンテンツが選択された場合の具体的なリップシンク調整方法についてのみ以下説明する。なおセレクタ１０４でハードディスクドライブ１０３からコンテンツが選択された場合のリップシンク調整方法については図４で示した第１の実施の形態におけるリップシンク調整方法と同様であるため、その説明は省略する。
【００８８】
（２−３）リップシンク調整方法
図７（Ａ）及び（Ｂ）に示すようにコンテンツサーバ１０１では、最初にエンコーダ５５によりコンテンツを圧縮符号化する際の基準となるＳＣＲの値と同期カウンタ１０５によって遅延付加回路５６へ供給されるＳＣＲの値とが例えば２７[MHz]相当のクロックカウンタ値「９００」分のずれが生じている場合、当該クロックカウンタ値「９００」分のずれを修正する必要があり、そのため遅延付加回路５６により、同期カウンタ１０５から供給されるＳＴＣの値に、２７[MHz]相当のクロックカウンタ値「９００」を１／３００に分周したクロックカウンタ値「３」をそれぞれ加算して修正ＳＣＲを生成する。
【００８９】
その後コンテンツサーバ１０１では、ＰＴＳ及びＤＴＳの値に対して、伝送遅延時間（０．５秒間又は０．７秒間）分を予め考慮した初期遅延時間分（１秒間）に相当するクロックカウンタ値「９００００」を加算すると共に、修正ＳＣＲに合わせて２７[MHz]相当のクロックカウンタ値「９００」を９０[kHz]相当のクロックカウンタ値「３」に換算したＳＣＲ修正分を加算してＰＴＳ及びＤＴＳを改めて再設定する。
【００９０】
これによりコンテンツサーバ１０１では、オーディオデータのＰＳパケットについては初期遅延時間を設定しなかったＰＴＳの再生タイミングに対して、当該初期遅延時間分だけ予め遅延させた１秒後の再生タイミングでフロントスピーカ６１から音声を出力することになる。
【００９１】
一方、図７（Ｃ）に示すようにワイヤレスリアモニター５２では、コンテンツサーバ１０１からビデオデータのＰＳパケットが例えば０．７秒後に伝送遅延した状態で到達するため、予め初期遅延時間（１秒間）を設定したＰＴＳ及びＤＴＳに従ってビデオデータをデコードして出力すると、伝送遅延分を合わせて１．７秒後に映像がディスプレイ６８に表示されることになり、１秒後に出力される音声よりも伝送遅延時間（０．７秒間）分だけ映像が遅れて表示されてしまう。
【００９２】
その分を修正するためにワイヤレスリアモニター５２では、修正ＳＣＲの値に対して、伝送遅延時間の０．７秒間に相当するクロックカウンタ値「６３０００」を加算することにより、当該修正ＳＣＲの時間軸を補正し、ビデオデータのＰＳパケットが無線伝送により伝送遅延した状態で到達したときの伝送遅延分の時間を取り戻すようになされている。
【００９３】
この場合、ワイヤレスリアモニター５２は、当該時間軸補正した後の修正ＳＣＲと、初期遅延時間を設定したＰＴＳ及びＤＴＳとに基づいてビデオデータをデコードして出力する。
【００９４】
従ってワイヤレスリアモニター５２は、時間軸補正後の修正ＳＣＲによりビデオデータのＰＳパケットが伝送遅延した伝送遅延時間分（０．７秒間）を取り戻したので、当該時間軸補正後の修正ＳＣＲの値が初期遅延時間を設定したＰＴＳ及びＤＴＳの値になった時点でビデオデータをデコードすれば、ビデオデータのＰＳパケットがワイヤレスリアモニター５２に到達してから算出遅延時間（０．３秒間）だけ待った後に映像をディスプレイ６８に表示することになる。
【００９５】
すなわちワイヤレスリアモニター５２は、伝送遅延時間と算出遅延時間との合計が初期遅延時間の１秒間に相当することになり、通常時の出力タイミングの１秒後から映像を出力させ得るようになされている。
【００９６】
（２−４）動作及び効果
以上の構成において、車内エンターテインメントシステム１００のコンテンツサーバ１０１は、エンコーダ５５で圧縮符号化する際の基準となるＳＣＲと、同期カウンタ１０５によって遅延付加回路５６へ供給されるＳＣＲとの間にずれがあった場合、当該遅延付加回路５６によってそのずれを修正し、それ以降では修正ＳＣＲを用いる。
【００９７】
これによりコンテンツサーバ１０１は、エンコーダ５５から供給されるコンテンツが圧縮符号化されたときのＳＴＣに基づくＳＣＲと、同期カウンタ１０５のＳＣＲとの間で僅かにずれが生じている場合でも、当該ずれを修正した修正ＳＣＲを用いてリップシンク調整することができると共に、ハードディスクドライブ１０３から読み出したコンテンツがセレクタ１０４で選択された場合には同期カウンタ１０５から供給されるＳＣＲをそのまま用いてリップシンク調整することができるため、コンテンツの種類を選ばずにリップシンクを保障することができる。
【００９８】
すなわちコンテンツサーバ１０１の遅延付加回路５６は、エンコーダ５５から供給されたコンテンツをＰＳパケット化する際、当該コンテンツサーバ１０１からワイヤレスリアモニター５２までの間の無線伝送に伴う伝送遅延を予め考慮し、当該伝送遅延に要する伝送遅延時間（０．７秒間）よりも大きな初期遅延時間（例えば１秒間）に相当するクロックカウンタ値「９００００」をＳＣＲの値に加算すると共に、エンコーダ５５で圧縮符号化する際の基準となるＳＣＲと、同期カウンタ１０５によって遅延付加回路５６へ供給されるＳＣＲとの間のずれに相当する９０[kHz]相当のクロックカウンタ値「３」とを加算することにより、アクセスユニット出力時刻及びデコード時刻を本来のタイミングよりも１秒遅延させる。
【００９９】
そしてワイヤレスリアモニター５２では、コンテンツサーバ１０１から無線伝送されて到達するビデオデータのＰＳパケットの伝送遅延時間分（０．７秒間）の遅れを取り戻すため、当該ＰＳパケットの修正ＳＣＲの値に対して伝送遅延時間分（０．７秒間）に相当するクロックカウンタ値「６３０００」を加算することにより、当該修正ＳＣＲの時間軸を進める方向に補正し、ビデオデータのＰＳパケットの伝送遅延分の時間を取り戻す。
【０１００】
これによりワイヤレスリアモニター５２は、時間軸補正後の修正ＳＣＲと、初期遅延時間だけ再生タイミングを遅延させたＰＴＳ及びＤＴＳとに基づいてビデオデータのＰＳパケットをデコードしてディスプレイ６８に表示することにより、初期遅延時間に相当する１秒後に映像を表示させることができる。
【０１０１】
これにより車内エンターテインメントシステム１００では、コンテンツサーバ１０１により初期遅延時間を設定しなかったＰＴＳ及びＤＴＳの再生タイミングよりも１秒後のタイミングでフロントスピーカ６１から出力する音声と、ワイヤレスリアモニター５２のディスプレイ６８に表示する映像とを完全に同期させてリップシンクを保障することができる。
【０１０２】
以上の構成によれば、車内エンターテインメントシステム１００はコンテンツサーバ１０１のエンコーダ５５から供給されたコンテンツの音声パケットをデコードしてフロントスピーカ６１から出力する音声と、伝送遅延を有するビデオデータのＰＳパケットをワイヤレスリアモニター５２によりデコードしてディスプレイ６８に表示させる映像との同期を図り、確実にリップシンクを保障することができる。
【０１０３】
また車内エンターテインメントシステム１００はコンテンツサーバ１０１のハードディスクドライブ１０３から供給されたコンテンツの音声パケットをデコードしてフロントスピーカ６１から出力する音声と、伝送遅延を有するビデオデータのＰＳパケットをワイヤレスリアモニター５２によりデコードしてディスプレイ６８に表示させる映像との同期を図り、確実にリップシンクを保障することができる。
【０１０４】
（３）他の実施の形態
なお上述の第１及び第２の実施の形態においては、コンテンツサーバ５１及び１０１の同期カウンタ６２及び１０５と充電ステーション１４とを有線接続し、当該充電ステーション１４を介してワイヤレスリアモニター５２へコンテンツサーバ５１及び１０１から基準時刻情報としてのＳＣＲを有線送信して同期させるようにした場合について述べたが、本発明はこれに限らず、コンテンツサーバ５１及び１０１と、ワイヤレスリアモニター５２とがＧＰＳ(Global Positioning System)衛星から受信した絶対時刻に基づいて互いのＳＣＲを同期させたり、電波時計等を利用して互いのＳＣＲを同期させるようにしても良い。
【０１０５】
また上述の第１及び第２の実施の形態においては、１アクセスユニットを１ＰＳパケットとしてコンテンツサーバ５１及び１０１からワイヤレスリアモニター５２へ無線伝送するようにした場合について述べたが、本発明はこれに限らず、必ずしも１アクセスユニットを１ＰＳパケットとしなくても良い。
【０１０６】
さらに上述の第１及び第２の実施の形態においては、コンテンツサーバ５１及び１０１からビデオデータをワイヤレスリアモニター５２へ無線伝送し、コンテンツサーバ５１及び１０１によってオーディオデータを再生してフロントスピーカ６１から出力する音声と、ワイヤレスリアモニター５２によりデコードしてディスプレイ６８に表示する映像とのリップシンクを調整するようにした場合について述べたが、本発明はこれに限らず、コンテンツサーバ５１及び１０１からオーディオデータを後部座席シート側に設けられたワイヤレスリアスピーカへ無線伝送し、コンテンツサーバ５１及び１０１によってビデオデータをデコードしてフロントディスプレイから出力する映像と、ワイヤレスリアスピーカにより出力した音声とのリップシンクを調整するようにしても良い。
【０１０７】
さらに上述の第１及び第２の実施の形態においては、本発明を車内エンターテインメントシステム５０及び１００に適用するようにした場合について述べたが、本発明はこれに限らず、ビデオデータだけを無線伝送し、音声と映像とを別々に出力する家庭内におけるＡＶ(Audio Visual)システムに本発明を適用するようにしても良い。
【０１０８】
さらに上述の実施の形態においては、本発明のオーディオビデオ同期システムとしての車内エンターテインメントシステム５０、１００を、コンテンツサーバとしてのコンテンツサーバ５１、１０１及びモニター装置としてのワイヤレスリアモニター５２とによって構築し、そのコンテンツサーバを、基準時刻有線送信手段としての同期カウンタ６２、１０５、映像伝送手段としての遅延付加回路５６、分配器５７及び無線送受信機５８、音声出力手段としてのオーディオデコーダ６０及びスピーカ６１によって構成し、モニター装置を、映像受信手段としての無線送受信機６５、基準時刻同期手段としての同期カウンタ６９、伝送遅延算出手段及び遅延修正手段としての遅延修正回路６６、映像出力手段としてのビデオデコーダ６７及びディスプレイ６８によって構成するようにした場合について述べたが、本発明はこれに限らず、その他種々の回路構成でコンテンツサーバ及びモニター装置を構成するようにしても良い。
【産業上の利用可能性】
【０１０９】
本発明のオーディオビデオ同期システム及びオーディオビデオ同期装置は、例えば音声又は映像のいずれかを無線伝送してそれぞれ出力する際のリップシンクを図る用途に適用することができる。
【図面の簡単な説明】
【０１１０】
【図１】第１の実施の形態における車内エンターテインメントシステムの全体構成を示す略線図である。
【図２】第１の実施の形態における車内エンターテインメントシステムの回路構成を示す略線的ブロック図である。
【図３】リップシンク調整原理の説明に供する略線図である。
【図４】第１の実施の形態におけるリップシンク調整方法の説明に供する略線図である。
【図５】第２の実施の形態における車内エンターテインメントシステムの全体構成を示す略線図である。
【図６】第２の実施の形態における車内エンターテインメントシステムの回路構成を示す略線的ブロック図である。
【図７】第２の実施の形態におけるリップシンク調整方法の説明に供する略線図である。
【図８】従来の車内エンターテインメントシステム（１）の回路構成を示す略線的ブロック図である。
【図９】従来のワイヤレスリアモニターを用いた車内エンターテインメントシステム（２）の全体構成を示す略線図である。
【図１０】従来のワイヤレスリアモニターを用いた車内エンターテインメントシステム（２）の回路構成を示す略線的ブロック図である。
【図１１】ＰＳパケットのデータ構造を示す略線図である。
【図１２】ＰＥＳパケットのデータ構造を示す略線図である。
【図１３】従来の伝送遅延に伴う出力タイミングのずれの説明に供する略線図である。
【符号の説明】
【０１１１】
１、５０、１００……車内エンターテインメントシステム、２、１０３……ハードディスク、３……セレクタ、１０４、４……デコーダ、５、２７、６８……ディスプレイ、６、６１……スピーカ、１１、５１、１０１……コンテンツサーバ、１２、５２……ワイヤレスリアモニター、１３……電源、１４……充電ステーション、２１、５５……エンコーダ、２２、５７……分配器、２３、６０……オーディオデコーダ、２４、２５、５８、６５……無線送受信機、６２、６９、１０５……同期カウンタ、６６……遅延修正回路、２６、６７……ビデオデコーダ。
【図１】
2006109000.tif 000003
【図２】
2006109000.tif 000004
【図３】
2006109000.tif 000005
【図４】
2006109000.tif 000006
【図５】
2006109000.tif 000007
【図６】
2006109000.tif 000008
【図７】
2006109000.tif 000009
【図８】
2006109000.tif 000010
【図９】
2006109000.tif 000011
【図１０】
2006109000.tif 000012
【図１１】
2006109000.tif 000013
【図１２】
2006109000.tif 000014
【図１３】
2006109000.tif 000015